(57)【要約】【課題】押さえ巻きを光ファイバテープ心線のすぐ近くで刃物を使うことなく容易に切断でき、一段と作業性をよくして作業時間を短縮することのできるようにする。【解決手段】押さえ巻きは、押さえテープ部とこれに一体化された融着テープ部の複合テープとされて押さえテープ部が粗巻きに向けた内側に、そして融着テープ部を外側に配置されて巻かれ、シースが高温加熱成形被覆される時に、融着テープ部および粗巻きは溶融して、該シースに融着テープ部を介しての押さえ巻きおよび開き構造の隙間を介しての粗巻きが一体的とされた一体的構造が形成される。【選択図】図１
2009271301.tif 000002
【特許請求の範囲】
【請求項１】
スペーサに光ファイバテープ心線が収容され、その上側に粗巻きと押さえ巻きが巻かれた光ファイバ心線集合構造体を有し、更にそれらの上側にシースが施された構造を有するテープスロット型光ファイバケーブルにおいて、
前記押さえ巻きは、押さえテープ部とこれに一体化された融着テープ部の複合テープとされて該押さえ巻き間に隙間が設けられた開き構造を有し、前記押さえテープ部が前記粗巻きに向けた内側に、そして前記融着テープ部を外側に配置されて巻かれ、前記シースが前記光ファイバ心線集合構造体上に高温加熱成形被覆される時に、前記融着テープ部および粗巻きは溶融して、該シースに融着テープ部を介しての前記押さえ巻きおよび前記開き構造の隙間を介しての前記粗巻きが一体的とされた一体的構造が形成されること
を特徴とするテープスロット型光ファイバケーブル。
【請求項２】
請求項１において、前記粗巻きは横巻きに間隔を置いて巻かれ、前記押さえ巻きは該間隔よりも大きくして１〜１０ｍｍ隙間にして同一方向に巻かれた開き巻き構造を有すること
を特徴とするテープスロット型光ファイバケーブル。
【請求項３】
請求項１において、前記粗巻きは横巻きに巻かれ、前記押さえ巻きは縦巻きに巻かれて１〜１０ｍｍの隙間が設けられる開き巻き構造を有し、該押さえ巻きの上側に他の粗巻きが前記粗巻きと同一方向に巻かれることを特徴とするテープスロット型光ファイバケーブル。
【請求項４】
スペーサに光ファイバケーブル心線が収容され、その上側に粗巻きと押さえ巻きが巻かれた光ファイバ心線集合構造体を有し、更にそれらの上側にシースが施された構造を有するテープスロット型光ファイバケーブルの中間後分岐作業方法において、
前記押さえ巻きを、押さえテープ部とこれに一体化された融着テープ部の複合テープに形成し、前記押さえテープ部が前記粗巻きに向けた内側に、そして前記融着テープ部を外側に配置して巻き、前記シースを前記光ファイバ心線集合構造体上に高温加熱成形される時に、前記融着テープ部および前記粗巻きを溶融させて、該シースに前記押さえ巻きおよび前記粗巻きが一体的とした一体的構造を形成し、前記シースを引き裂く時に、該シースに一体化した前記押さえ巻きおよび前記粗巻きを切断して、これらをテープスロット型光ファイバケーブルから三者一体に除去するようにしたことを特徴とするテープスロット型光ファイバケーブルの中間後分岐作業方法。
【請求項５】
請求項４において、前記粗巻きは横巻きに巻かれ、前記押さえ巻きは縦巻きに巻かれて１〜１０ｍｍの隙間が設けられる開き巻き構造を有し、該押さえ巻きの上側に他の粗巻きが前記粗巻きと同一方向に巻かれることを特徴とするテープスロット型光ファイバケーブルの中間後分岐作業方法。
【発明の詳細な説明】
【技術分野】
【０００１】
テープスロット型光ファイバケーブルおよびこのテープスロット型光ファイバケーブルの中間後分岐作業方法に関する。
【背景技術】
【０００２】
ＦＴＴＨ配線ケーブルとして多くの光ファイバケーブルが開発されて来ている。その内の１つとしてＳＺ撚りテープスロット型光ファイバケーブルがあり、このＳＺ撚りテープスロット型光ファイバケーブルは、ケーブルを切断せずに光ファイバテープ心線を取り出すいわゆる中間後分岐作業に適しているために広く採用されている。この中間後分岐作業は光ファイバ加入者へ光ファイバを引き込むために、光ファイバケーブルの長手方向に数１０ｃｍに亘りシースを除去して光ファイバケーブルから光ファイバ心線を取り出す作業が必要となる。テープスロット型光ファイバケーブルでは、光ファイバ心線を取り出すために、シースを除去した後に、刃物などを使って押さえ巻きと粗巻きとを切断することが行なわれてきた。
【０００３】
非特許文献１には、押さえ巻きと粗巻きを光ファイバ心線のすぐ近くで刃物を使うことなく容易に切断することのできる中間後分岐作業並びにこの作業を行うためのＳＺ撚りテープスロット型光ケーブルの構造が記載されている。
【０００４】
特許文献１には、下部のばし作業がやりやすいように考慮された中間後分岐工法が記載されている。
【０００５】
特許文献２には、外皮にミシン目状切欠きを設けることが記載されている。
【０００６】
【非特許文献１】２００８年１月ＳＥＩテクニカルレビュー第１７２号１４４〜１４７ページ
【特許文献１】特開２００３−２１７２８号公報
【特許文献２】実開平５−２９０１０号公報
【発明の開示】
【発明が解決しようとする課題】
【０００７】
非特許文献には、粗巻きには、材料に低融点材料を採用するとともに、押さえ巻きには押さえ巻き間に隙間を設けて巻き構造として、粗さを押さえ巻き間の隙間の部位でケーブル製造時のシースの熱で切断すること、および押さえ巻きについては、指で摘んで切断することが記載されている。
【０００８】
このような方法、構造を採用することによって刃物を使用することなく押さえ巻きあるいは粗巻きを切断することによって作業時間を短縮できるようになったが、ＦＴＴＨの普及のために更に一段と作業性をよくして作業時間を短縮することが求められている。
【０００９】
本発明は、かかる点に鑑みて押さえ巻きを光ファイバテープ心線のすぐ近くで刃物を使うことなく容易に切断でき、一段と作業性をよくして作業時間を短縮することのできるテープスロット型光ファイバケーブルおよび中間後分岐作業方法を提供することを目的とする。
【課題を解決するための手段】
【００１０】
本発明は、スペーサに光ファイバテープ心線が収容され、その上側に粗巻きと押さえ巻きが巻かれた光ファイバ心線集合構造体を有し、更にそれらの上側にシースが施された構造を有するテープスロット型光ファイバケーブルにおいて、
前記押さえ巻きは、押さえテープ部とこれに一体化された融着テープ部の複合テープとされて該押さえ巻き間に隙間が設けられた開き構造を有し、前記押さえテープ部が前記粗巻きに向けた内側に、そして前記融着テープ部を外側に配置されて巻かれ、前記シースが前記光ファイバ心線集合構造体上に高温加熱成形被覆される時に、前記融着テープ部および粗巻きは溶融して、該シースに融着テープ部を介しての前記押さえ巻きおよび前記開き構造の隙間を介しての前記粗巻きが一体的とされた一体的構造が形成されること
を特徴とするテープスロット型光ファイバケーブルを提供する。
【００１１】
本発明は、また、前記粗巻きは横巻きに間隔を置いて巻かれ、前記押さえ巻きは該間隔よりも大きくして１〜１０ｍｍ隙間にして同一方向に巻かれた開き巻き構造を有すること
を特徴とするテープスロット型光ファイバケーブルを提供する。
【００１２】
本発明は、また、前記粗巻きは横巻きに巻かれ、前記押さえ巻きは縦巻きに巻かれて１〜１０ｍｍの隙間が設けられる開き巻き構造を有し、該押さえ巻きの上側に他の粗巻きが前記粗巻きと同一方向に巻かれることを特徴とするテープスロット型光ファイバケーブルを提供する。
【００１３】
本発明は、スペーサに光ファイバケーブル心線が収容され、その上側に粗巻きと押さえ巻きが巻かれた光ファイバ心線集合構造体を有し、更にそれらの上側にシースが施された構造を有するテープスロット型光ファイバケーブルの中間後分岐作業方法において、
前記押さえ巻きを、押さえテープ部とこれに一体化された融着テープ部の複合テープに形成し、前記押さえテープ部が前記粗巻きに向けた内側に、そして前記融着テープ部を外側に配置して巻き、前記シースを前記光ファイバ心線集合構造体上に高温加熱成形される時に、前記融着テープ部および前記粗巻きを溶融させて、該シースに前記押さえ巻きおよび前記粗巻きが一体的とした一体的構造を形成し、前記シースを引き裂く時に、該シースに一体化した前記押さえ巻きおよび前記粗巻きを切断して、これらをテープスロット型光ファイバケーブルから三者一体に除去するようにしたことを特徴とするテープスロット型光ファイバケーブルの中間後分岐作業方法を提供する。
【００１４】
本発明は、また、前記粗巻きは横巻きに巻かれ、前記押さえ巻きは縦巻きに巻かれて１〜１０ｍｍの隙間が設けられる開き巻き構造を有し、該押さえ巻きの上側に他の粗巻きが前記粗巻きと同一方向に巻かれることを特徴とするテープスロット型光ファイバケーブルの中間後分岐作業方法を提供する。
【発明の効果】
【００１５】
本発明は、上述のように融着テープ部を備えた押さえ巻きを用いているので、シースに融着テープ部および開き構造の隙間を介して粗巻きがシース被覆の時に一体とされるので、中間後分岐作業の時に、シースの一部の除去作業を行うと、押さえ巻きも粗巻きも一体として除去され、押さえ巻きおよび粗巻き除去のための特別の作業を要せず、中間後作業を簡単にして、短時間で終了させることができる。
【発明を実施するための最良の形態】
【００１６】
以下、本発明の１実施例を図面に基づいて説明する。
【実施例】
【００１７】
図１は、本発明の実施例であるテープスロット型光ファイバケーブルであって、中間後分岐作業のためにシースが一部除去された状態を示す図であり、図２はシース部における断面を示す図である。
【００１８】
図１，図２において、テープスロット型光ファイバケーブル１００は、スロット、例えばＳＺ撚り溝付きのスペーサ１にスロット（スロット溝）２形成され、このスロット２内に光ファイバテープ心線３が配設、すなわち収容される。ＳＺと呼ばれてスロット２は、スロット溝が交互に反転しながら軸方向に進行するように形成されているもので、光ファイバケーブルの中間後分岐を行う場合に操作性に優れているという特徴を有している。スロット２内に光ファイバテープ心線３が収容されるとスロット２から光ファイバテープ心線３が外方へ外れることを防止するために一定間隔で粗巻き４が巻きつけられる。この粗巻き４の上側に押さえ巻き５が巻きつけられる。この例の場合、粗巻き４の巻き方向と押さえ巻き５の巻き方向は同一方向にしてあるが逆方向であってもよい。１９はテンションメンバである。
【００１９】
このようにして、ＳＺ撚り溝付きのスペーサ１に光ファイバ心線３が収容され、その上側に粗巻き４と押さえ巻き５が巻かれた光ファイバ心線集合構造体５０が構成される。この光ファイバ心線集合構造体５０を貫通孔（図示せず）に通過させながら、光ファイバ心線集合構造体５０の周囲に熱可塑の溶融した樹脂が被覆され、冷却に伴なってシース６が形成される。すなわち光ファイバ心線集合構造体５０の上側にシースが溶着、冷却されて固定される。光ファイバ心線集合構造体５０の面には引き裂き紐７が配設してあって、シースを引き裂く時にこの引き裂き紐７が使用される。シース６の引き裂きは他の方法による操作によってなされてもよい。
【００２０】
押さえ巻き５には、押さえ巻き間に隙間８を設けた開き巻き構造が形成される。この隙間（ギャップ）は予め定めた距離で等間隔で形成されるが、１例として１〜１０ｍｍとされる。粗巻き４は隙間８よりも幅を狭くしたピッチ（間隔）１８でスペーサ１上に巻かれる。図１では１〜５ｍｍの例が示してある。ただし、上述の１〜１０ｍｍより小さいものとする。
【００２１】
押さえ巻き５は、図３に示すように、複合テープで構成される。複合テープは、上側の融着テープ部（熱可塑性材料テープ部）５１、そして下側の通常の押さえ巻きテープ部５２が接着した一体構成のものが使用される。従って、押さえ巻き５は、複合テープ構成の押さえ巻きとなる。以下、“押さえ巻き”と記載した時にはこの複合テープ構成の押さえ巻きを指す。
【００２２】
シース６と粗巻き４と融着テープ部５１は、熱可塑性材料から構成する。熱可塑性樹脂とは、高密度ポリエチレン、中密度ポリエチレン、低密度ポリエチレン、ポリエステル、ポリアミド、ポリプロピレン、ポリエチレンテレフタレート、ナイロンおよびこれらの各種材料の組み合わせ等がある。シース６には高融点熱可塑性樹脂を選定し、融着テープ部５１には低融点熱可塑性材料を選定する。シース６に高密度ポリエチレンを選定し、粗巻きには低密度ポリエチレンを選定するのがよい。
【００２３】
一般的なシース被覆方法である加熱して高温の溶融状態にしたシース材を押し出し被覆する場合に、シースの有する熱により、粗巻き４および融着テープ部５１は溶融あるいは半溶融状態（以下、溶融といった場合にこの半溶融状態を含むものとする。）となり、特段の工程を設けなくても、シース６、粗巻き４および融着テープ部５１とを接着することができる。
【００２４】
これによって、押さえ巻き５は、押さえ巻きテープ部５２とこれに一体化された融着テープ部５１の複合テープとされて該押さえ巻き間に隙間が設けられた開き構造を有し、前記押さえ巻きテープ部５２が粗巻き５に向けた内側に、そして融着テープ部５１を外側に配置されて巻かれ、シースが光ファイバ心線集合構造体５０上に高温加熱成形被覆される時に、融着テープ部５１および粗巻き５２は溶融して、該シースに融着テープ部５１を介しての押さえ巻き５および開き構造１０の隙間８を介して粗巻き４が一体的とされた一体的構造が形成されることになる。そして、この場合に押さえ巻きテープ部５２は光ファイバ光線には融着しないから何等の障害を与えない。
【００２５】
従って、シース６の一部を長手方向に引き裂いた場合に、粗巻き４および押さえ巻き５も刃物を用いることなく分離除去できるようになる。
【００２６】
図４にシース６の一部と共に粗巻き４および押さえ巻き５をテープスロット型光ファイバケーブルから分離、除去した図を示す。
【００２７】
図５にフローチャートを示す。
図５において、スペーサに光ファイバ心線を収容し（Ｓ１）、その上側に熱可塑材料で構成される粗巻きを巻回する（Ｓ２）。さらにその上側に押さえ巻きを巻回する。押さえ巻きはシースと一体化される部分の融着テープ部と押さえ巻き機能としての押さえ巻テープ部の複合テープで構成され、融着テープ部を外側にして、押さえ巻テープ部を内側にして、かつ押さえ巻き間に隙間を設けた開き構造を形成して巻回する（Ｓ４）。光ファイバ心線集合構造体を形成する。この上で、熱可塑性材料のシース材を押し出し、光ファイバ心線集合構造体の上側に被覆する（Ｓ５）。この時に、粗巻きおよび複合テープの熱可塑材料テープ部は溶融し一体となる。これによって、シースに粗巻きおよび押さえ巻きが一体化される（三者の一体化）（Ｓ６）。このようにして、テープスロット型光ファイバを構成する。
【００２８】
中間分岐作業時に、シースの一部を切断、除去することを行う。この時にシース、粗巻きおよび押さえ巻きの三者は一体となっているので、シースの除去と共に粗巻きおよび押さえ巻きも分離、除去される（Ｓ７）。
【００２９】
次いで、光ファイバ心線分岐を行い（Ｓ８）、中間後分岐作業を終了させる（Ｓ９）。
【００３０】
これによって、容易な作業方法で短時間作業で粗巻きおよび押さえ巻きをテープスロット型光ファイバケーブルから除去し、光ファイバテープ心線３の分岐を容易に行うことができる。図１に示す例は、押さえ巻き５を横巻きにした例であるが、本発明は押さえ巻き５を縦巻きにした例にあっても採用することができる。図６は押さえ巻き５を縦巻きにした例を示す。図１と同一の構成には同一の数字が付してあり、図１、図２の説明を援用する。尚、横断面図は図２と同一なので図示していない。
【００３１】
図６に示す例にあっては、テープスロット型光ファイバケーブルの長手方向に隙間８が形成してあり、その間隙は１〜５ｍｍとしてあり、ピッチ幅は１〜１０ｍｍとしてある。そしてこの例では押さえ巻き５を押さえるために更に他の粗巻き２１が押さえ巻き５の上側に巻いてある。
【００３２】
この例にあっても、押さえ巻き５は、押さえテープ部とこれに一体化された融着テープ部５１の複合テープ５２とされて該押さえ巻き間に隙間が設けられた開き構造を有し、前記押さえテープ部５２が粗巻き５に向けた内側に、そして融着テープ部５１を外側に配置されて巻かれ、シースが光ファイバ心線集合構造体５０上に高温加熱成形被覆される時に、融着テープ部５１および粗巻き５２は溶融して、該シースに融着テープ部５１を介しての押さえ巻き５および開き構造１０の隙間８を介しての粗巻き４が一体的とされた一体的構造が形成されることになる。
【００３３】
従って、シース６の一部を長手方向に引き裂いた場合に、粗巻き４および押さえ巻き５も刃物を用いることなく分離除去できるようになる。
【図面の簡単な説明】
【００３４】
【図１】本発明の実施例の構成を示す図。
【図２】図１のシースの断面図。
【図３】押さえ巻きの複合状態を示す図。
【図４】シース、粗巻き、押さえ巻きを除去した図。
【図５】フローチャート図。
【図６】本発明の他の実施例の構成を示す図。
【符号の説明】
【００３５】
１…スペーサ（ＳＺ撚り溝付きのスペーサ）、２…スロット、３…光ファイバテープ心線、４…粗巻き、５…押さえ巻き、６…シース、７…引き裂き紐、８…隙間、２１…他の粗巻き、５０…光ファイバ心線集合構造体、５１…融着テープ部、５２…押さえ巻きテープ部、１００…テープスロット型光ファイバケーブル。
【図１】
2009271301.tif 000003
【図２】
2009271301.tif 000004
【図３】
2009271301.tif 000005
【図４】
2009271301.tif 000006
【図５】
2009271301.tif 000007
【図６】
2009271301.tif 000008